(57)【要約】【課題】廃棄される未回収熱を減少させ、コージェネレーションの経済性・省エネ性を向上させることができるコージェネレーションの排熱利用システムを提供すること。【解決手段】給水ラインＬ１から貯湯タンク２１に供給された水道水が循環ポンプＰ３で第１熱交換器１１を通過した後に貯湯タンク２１に再び戻ることにより小型のコージェネレーション源の排熱を回収する排熱回収ラインＬ２と、貯湯タンク２１に貯えられた給湯水を洗濯機５に供給する給湯ラインＬ３と洗濯機用ラインＬ３２とからなる洗濯水供給ラインと、洗濯水供給ラインと給水ラインＬ１とを接続する水道水供給ラインＬ１１と、洗濯水供給ラインと水道水供給ラインＬ１１との接続部分に配設されて、ラインの切り換えを行う三方弁Ｖ１とを設け、三方弁Ｖ１でラインの切り換えて洗濯機５に給湯タンク２１の給湯水を供給する。【選択図】　図１
2004108608.tif 000002
【特許請求の範囲】
【請求項１】
給水ラインから貯湯タンクに供給された水道水が循環ポンプで第１熱交換器を通過した後に貯湯タンクに再び戻ることにより小型のコージェネレーション源の排熱を回収する排熱回収ラインと、
前記貯湯タンクに貯えられた給湯水を洗濯機に供給する洗濯水供給ラインと、
前記洗濯水供給ラインと前記給水ラインとを接続する水道水供給ラインと、
前記洗濯水供給ラインと前記水道水供給ラインとの接続部分に配設されて、ラインの切り換えを行う第１切換弁とを有することを特徴とするコージェネレーションの排熱利用システム。
【請求項２】
請求項１に記載するコージェネレーションの排熱利用システムにおいて、
前記貯湯タンクと連通したシスターンの循環水が循環ポンプで第２熱交換器を通過した後に前記シスターン又は前記貯湯タンクの中に設けた熱交換器に戻る熱交換ラインと、
前記第２熱交換器を介して前記熱交換ラインに接続し、前記浴槽の残湯が循環ポンプで前記第２熱交換器を通過した後に前記浴槽に戻る追焚ラインと、
前記第２熱交換器の上流側に配設されて前記追焚ラインと前記洗濯水供給ラインとに接続し、ラインの切り換えを行う第２切換弁を有することを特徴とするコージェネレーションの排熱利用システム。
【請求項３】
請求項１又は請求項２に記載するコージェネレーションの排熱利用システムにおいて、
前記貯湯タンクの給湯水の温度である貯湯槽温度を検出して貯湯熱量を算出する貯湯熱量算出装置と、
前記貯湯熱量算出装置が過去に算出した貯湯熱量を蓄積し、又は、予約された給湯需要に基づいて経時的な給湯需要予測を立案し、前記貯湯熱量算出装置が算出した貯湯熱量と前記給湯需要予測に基づいて前記第１切換弁の切換動作を制御する制御装置とを有することを特徴とするコージェネレーションの排熱利用システム。
【請求項４】
請求項１乃至請求項３の何れか１つに記載するコージェネレーションの排熱利用システムにおいて、
前記洗濯機に供給する給湯水の温度を設定する温度設定装置と、
前記第１切換弁の下流に配設され、前記制御装置と接続して着火動作を制御されるバーナとを有し、
前記制御装置は、
前記貯湯タンクから供給される給湯水の給湯温度を前記温度設定装置で設定された設定温度とを比較して、その比較結果に基づいて前記バーナの着火動作を制御することを特徴とするコージェネレーションの排熱利用システム。
【請求項５】
請求項１乃至請求項４の何れか１つに記載するコージェネレーションの排熱利用システムにおいて、
前記洗濯水供給ラインから分岐してトイレに接続するトイレ用ラインを有することを特徴とするコージェネレーションの排熱利用システム。
【請求項６】
給水ラインから貯湯タンクに供給された水道水が循環ポンプで第１熱交換器を通過した後に前記貯湯タンクに戻る排熱回収ラインと、前記貯湯タンクの給湯水を熱需要機器に供給する給湯ラインとを備えるコージェネレーションの排熱利用システムで、前記循環ポンプの動作を制御するコージェネレーションの排熱利用システムの制御装置において、
前記給湯ラインが、洗濯機と前記貯湯タンクとを接続する洗濯水供給ラインを有し、
前記洗濯水供給ラインが、前記給水ラインから分岐した水道水供給ラインと接続する部分に配設された第３切換弁と接続し、前記貯湯タンクの給湯水に前記水道水給湯ラインの水道水を混合させて前記貯湯タンクの給湯水を設定温度に調節するよう前記第３切換弁の切換動作を制御することを特徴とするコージェネレーションの排熱利用システムの制御装置。
【請求項７】
請求項７に記載するコージェネレーションの排熱利用システムの制御装置において、
前記コージェネレーションの排熱利用システムが、
前記貯湯タンクの給湯水又はシスターンの循環水が循環ポンプで第２熱交換器を通過して前記貯湯タンク又は前記シスターンに戻る熱交換ラインに対して前記第２熱交換器を介して接続する追焚ラインと、
前記追焚ラインが前記洗濯水供給ラインと接続する部分に配設された第４切換弁とを有しており、
前記第４切換弁に接続し、前記浴槽の残湯を設定温度に追い焚きして前記洗濯機に供給するよう前記第４切換弁の切換動作を制御することを特徴とするコージェネレーションの排熱利用システムの制御装置。
【発明の詳細な説明】
【０００１】
【発明の属する技術分野】
本発明は、家庭などで使用されるコージェネレーションで発生する排熱を有効利用するコージェネレーションの排熱利用システムに関する。
【０００２】
【従来の技術】
近年、ガスエンジンや燃料電池などで発電し、発電に伴って発生する熱を利用するコージェネレーションシステムが家庭でも利用されつつある。家庭用のコージェネレーションは、発電電力を供給しつつ発生する熱を回収して貯え、家庭の熱需要に利用できることから、省エネ性及び経済性を向上させることができる利点がある。図２３は、１日の各時間における家庭での使用電力量と家庭用コージェネレーションシステムが発電する電力量とを概念的に示した図である。図２４は、図２３の家庭用コージェネレーションシステムの発電に伴って発生し、貯湯タンクに貯められる貯湯熱量の経時変化を概念的に示した図である。
【０００３】
図２３に示すように、コージェネレーションシステムでは、家庭の使用電力に応じて発電出力を調整して運転されており、コージェネレーションの発電に伴い発生する熱を、図２４に示すように、貯湯タンクに６０〜８０℃程度の温水として回収している。そして、例えば、１９時に風呂やシャワーなどで給湯需要がある場合には、貯湯タンクの給湯水を所定温度（例えば、４２℃）に調整して供給する（例えば、特許文献１参照）。
【０００４】
ところが、図２３及び図２４に示すように、電力需要に合わせて発電した場合、貯湯タンクに回収しきれない未回収熱が発生する問題があった。特に、熱需要の低い夏期や中間期に未回収熱が発生しやすい。このような未回収熱を発生させながら燃料電池などを運転すると、作動不良を生じるおそれがあるため、燃料電池などの運転を停止させたり、或いは、排熱を空冷フィンなどで冷却して捨てるなど燃料電池の排熱を回収しないで発電していた。そのため、従来、給湯需要を予測して、数時間後に温水の大きな消費があるにもかかわらず、貯湯タンクに温水が満杯になったときに、貯湯タンクの温水を浴槽にはって未回収熱を減らすことにより、コージェネレーションシステムの総合効率の向上を図っていた（例えば、特許文献２参照）。
【０００５】
【特許文献１】
特開２００１−２４８９１３号公報（６−７頁、図１参照。）。
【特許文献２】
特開２００１−６８１２６号公報（第７頁、第１図参照。）。
【０００６】
【発明が解決しようとする課題】
しかしながら、従来のコージェネレーションシステムのように浴槽の湯はりに貯湯タンクの給湯水を優先的に利用するだけでは、風呂での放熱ロスが大きくなり、コージェネレーションの経済性・省エネ性を十分に発揮させることはできなかった。
すなわち、夏や中間期などのように熱需要の少ない時期は、図２４に示すように、前日の残湯が貯湯タンクに残っており、朝からの発電運転による数時間で貯湯タンクに温水が満杯になり、熱回収ができなくなる。朝の時間帯に、図２５に示すように未回収熱を浴槽の湯はりに活用すると、実際に入浴する夕方までの間に多量の放熱ロスを発生し、湯はりの温度が大幅に低下していた。つまり、システム側で熱回収しない代わりに風呂で熱を捨てているにすぎなかった。
【０００７】
そこで、本発明は、上記課題を解決するためになされたものであり、廃棄される未回収熱を減少させ、コージェネレーションの経済性・省エネ性を向上させることができるコージェネレーションの排熱利用システムを提供することを目的とする。
【０００８】
【課題を解決するための手段】
上記課題を解決するためになされた本願請求項１に記載の発明は、給水ラインから貯湯タンクに供給された水道水が循環ポンプで第１熱交換器を通過した後に貯湯タンクに再び戻ることにより小型のコージェネレーション源の排熱を回収する排熱回収ラインと、貯湯タンクに貯えられた給湯水を洗濯機に供給する洗濯水供給ラインと、洗濯水供給ラインと給水ラインとを接続する水道水供給ラインと、洗濯水供給ラインと水道水供給ラインとの接続部分に配設されて、ラインの切り換えを行う第１切換弁とを有することを特徴としている。
【０００９】
このような特徴を有するコージェネレーションの排熱利用システムでは、例えば、貯湯タンクに６０〜８０℃程度の高温給湯水が貯められたときは、洗濯水供給ラインと水道水供給ラインとを接続するよう第１切換弁を切り換えて、貯湯タンクの給湯水を水道水と混合させてから洗濯機に供給し、従来貯湯タンクに回収しきれずに捨てていたコージェネレーション源の排熱を貯湯タンクに回収するので、廃熱となる未回収熱を少なくして、コージェネレーションの経済性・省エネ性を向上させることができる。
【００１０】
また、請求項２に記載する発明は、請求項１に記載する発明において、貯湯タンクと連通したシスターンの循環水が循環ポンプで第２熱交換器を通過した後にシスターン又は貯湯タンクの中に設けた熱交換器に戻る熱交換ラインと、第２熱交換器を介して熱交換ラインに接続し、浴槽の残湯が循環ポンプで第２熱交換器を通過した後に浴槽に戻る追焚ラインと、第２熱交換器の上流側に配設されて追焚ラインと洗濯水供給ラインとに接続し、ラインの切り換えを行う第２切換弁を有することを特徴としている。
【００１１】
このような構成を有するコージェネレーションの排熱利用システムでは、シスターンの循環水は、熱交換ポンプが駆動すると第２熱交換器を通過してシスターン又は貯湯タンクの中に設けた熱交換器に戻る。このとき、追い焚きラインと洗濯水供給ラインとを接続しないように第２切換弁を切り換えた状態で追い焚きラインの循環ポンプを駆動させ、浴槽の残湯を追い焚きラインに循環させることにより、第２熱交換器では、循環水を介してコージェネレーションの排熱が浴槽の残湯に伝えられる。それから、追い焚きラインと洗濯水供給ラインとを接続するように第２切換弁を切り換えた状態で追い焚きラインの循環ポンプを駆動させると、浴槽の残湯が洗濯機に供給される。このように、コージェネの排熱を利用して浴槽の残湯を追い焚きしてから洗濯機に供給するので、請求項１に記載の発明より排熱となる未回収熱を減らしてコージェネレーションの経済性・省エネ性を向上させることができることに加え、浴槽の残湯を洗濯水に利用するので節水効果を得ることができる。
【００１２】
また、請求項３に記載の発明は、請求項１又は請求項２に記載の発明において、貯湯タンクの給湯水の温度である貯湯槽温度を検出して貯湯熱量を算出する貯湯熱量算出装置と、貯湯熱量算出装置が過去に算出した貯湯熱量を蓄積し、又は、予約された給湯需要に基づいて経時的な給湯需要予測を立案し、貯湯熱量算出装置が算出した貯湯熱量と給湯需要予測に基づいて第１切換弁の切換動作を制御する制御装置とを有することを特徴としている。
すなわち、制御装置では、貯湯タンクに貯められた給湯水の貯湯槽温度を検出して貯湯タンクの貯湯熱量を算出し、その算出した貯湯熱量を過去に算出した貯湯熱量に蓄積して経時的な給湯需要予測を立案したり、或いは、予約された給湯需要に基づいて経時的な給湯需要予測を立案しており、立案された給湯需要予測に対して貯湯タンクの貯湯槽温度に基づいて算出した貯湯熱量を比較することにより第１切換弁の切換動作を制御すれば、貯湯タンクに給湯需要予測に対応しうる給湯水を貯湯しているか否かをもって、貯湯タンクから給湯水を供給するか否かを決定するようになるので、未回収熱を極小化することができる。
【００１３】
また、請求項４に記載の発明は、請求項１乃至請求項３の何れか１つに記載の発明において、洗濯機に供給する給湯水の温度を設定する温度設定装置と、第１切換弁の下流に配設され、制御装置と接続して着火動作を制御されるバーナとを有し、制御装置は、貯湯タンクから供給される給湯水の給湯温度を温度設定装置で設定された設定温度とを比較して、その比較結果に基づいてバーナの着火動作を制御することを特徴としている。
すなわち、貯湯タンクから供給される給湯水の給湯温度を検出して温度設定装置で設定された設定温度と比較し、バーナの着火動作を制御すれば、バーナが第１切換弁の下流側に配設されていることから、給湯温度が設定温度より低いときに、貯湯タンクの給湯水又は水道水供給ラインの水道水を加熱して洗濯機に供給することができる。
【００１４】
また、請求項５に記載の発明は、請求項１乃至請求項４の何れか１つに記載の発明において、洗濯水供給ラインから分岐してトイレに接続するトイレ用ラインを有することを特徴としている。
すなわち、トイレの洗浄水などに浴槽の残湯や貯湯タンクの給湯水などを使用することができるので、さらなる節水効果を得てコージェネレーションの経済性・省エネ性を一層増大させることができる。
【００１５】
また、請求項６に記載の発明は、給水ラインから貯湯タンクに供給された水道水が循環ポンプで第１熱交換器を通過した後に貯湯タンクに戻る排熱回収ラインと、貯湯タンクの給湯水を熱需要機器に供給する給湯ラインとを備えるコージェネレーションの排熱利用システムで、循環ポンプの動作を制御するコージェネレーションの排熱利用システムの制御装置において、給湯ラインが、洗濯機と貯湯タンクとを接続する洗濯水供給ラインを有し、洗濯水供給ラインが、給水ラインから分岐した水道水供給ラインと接続する部分に配設された第３切換弁と接続し、貯湯タンクの給湯水に水道水給湯ラインの水道水を混合させて貯湯タンクの給湯水を設定温度に調節するよう第３切換弁の切換動作を制御することを特徴としている。
すなわち、例えば、通常の洗濯水として貯湯タンクの給湯水を使用する場合と、洗濯機の除菌を行うために貯湯タンクの給湯水を使用する場合とで設定温度を変えた場合でも、貯湯タンクの給湯水は、第３切換弁で水道水と混合されるなどして設定温度に調節されて洗濯機に供給されるため、貯湯タンクの給湯水の利用量が増加し、従来貯湯タンクに回収しきれずに捨てていたコージェネレーション源の排熱を貯湯タンクに回収することができるようになるので、廃熱となる未回収熱を少なくして、コージェネレーションの経済性・省エネ性を向上させることができる。
【００１６】
また、請求項７に記載する発明は、請求項６に記載の発明において、コージェネレーションの排熱利用システムが、貯湯タンクの給湯水又はシスターンの循環水が循環ポンプで第２熱交換器を通過して貯湯タンク又はシスターンに戻る熱交換ラインに対して第２熱交換器を介して接続する追焚ラインと、追焚ラインが洗濯水供給ラインと接続する部分に配設された第４切換弁とを有しており、第４切換弁に接続し、浴槽の残湯を設定温度に追い焚きして洗濯機に供給するよう第４切換弁の切換動作を制御することを特徴としている。
すなわち、追い焚きラインと洗濯水供給ラインとを接続しないように第４切換弁を切り換えて、熱交換ラインの循環水を循環させて第２熱交換器でコージェネレーション源の排熱を利用して浴槽の残湯を設定温度まで追い焚きしたら、追い焚きラインと洗濯水供給ラインとを接続するように第４切換弁を切り換えて浴槽の残湯を洗濯機に供給するので、請求項７に記載の発明より未回収熱を減らしてコージェネレーションの経済性・省エネ性を向上させることができることに加え、浴槽の残湯を洗濯水に利用するので節水効果を得ることができる。
【００１７】
【発明の実施の形態】
以下、本発明のコージェネレーションの排熱利用システムとその制御装置の一実施の形態について図面を参照して説明する。図１は、コージェネレーションの排熱利用システム２を含む水カスケード利用システム１のシステムフロー図である。
水カスケード利用システム１は、コージェネレーションの排熱利用システム（以下、「排熱利用システム」という。）２を使用している。排熱利用システム２は、給水ラインＬ１、排熱回収ラインＬ２、給湯ラインＬ３、熱交換ラインＬ４、制御装置４０（後述）などで構成され、「コージェネレーション源」である小型の燃料電池３（又はガスエンジンなど）の排熱をカスケード利用して給湯水を台所等蛇口４、洗濯機５、トイレ６、浴槽７、高温給湯端末８等の給湯需要機器に供給する。
【００１８】
給水ラインＬ１は、上流側が水道管９に接続され、下流側が貯湯タンク２１の下部に接続されている。また、排熱回収ラインＬ２は、上流側が貯湯タンク２１の下部に接続され、下流側が三方弁Ｖ８、循環ポンプＰ３、第１熱交換器１１を介して貯湯タンク２１の上部に接続されている。排熱回収ラインＬ２の第１熱交換器１１と貯湯タンク２１の上部との間からは、接続ラインＬ２１が分岐しており、三方弁Ｖ８に接続されている。
【００１９】
従って、排熱回収ラインＬ２では、循環ポンプＰ３を駆動させると、給水ラインＬ１から貯湯タンク２１に供給された水道水が三方弁Ｖ８、循環ポンプＰ３、第１熱交換器１１を通過して貯湯タンク２１の上部に再び戻される（図７参照）。このとき、第１熱交換器１１では、燃料電池３などの排熱が水道水に伝えられる。また、三方弁Ｖ８が接続ラインＬ２１を排熱回収ラインＬ２に接続させるように切り換えられると、貯湯タンク２１から送り出された水道水を貯湯タンク２１に戻す前に第１熱交換器１１に繰り返し通過させて熱回収させることができる（図８参照）。
【００２０】
貯湯タンク２１には、食器洗浄乾燥機など高温給湯端末８や浴槽７の残湯の追い焚きなどを行う熱交換ラインＬ４や、洗濯機５、トイレ６、台所等蛇口４などに低温給湯水を供給する給湯ラインＬ３などが接続されている。
【００２１】
熱交換ラインＬ４は、貯湯タンク２１の上部に接続する閉回路であり、シスターン２３、第２熱交換器２２、循環ポンプＰ２、三方弁Ｖ７を有している。また、熱交換ラインＬ４は、貯湯タンク２１とシスターン２３との間から分岐して三方弁Ｖ７に接続される接続ラインＬ４１と、シスターン２３を第２熱交換器２２と循環ポンプＰ２との間に接続する接続ラインＬ４２とを有している。すなわち、熱交換ラインＬ４では、三方弁Ｖ７は、ａポートが貯湯タンク２１に接続され、ｂポートが循環ポンプＰ２に接続され、ｃポートが接続ラインＬ４１に接続されており、循環ポンプＰ２を駆動させたときに、三方弁Ｖ７がａポートとｂポートとを接続するように切り換えられると、貯湯タンク２１の給湯水で加熱された循環水が、シスターン２３、第２熱交換器２２、循環ポンプＰ２、三方弁Ｖ７を通過して貯湯タンク２１に戻る（図９参照）。このとき、第２熱交換器２２では、燃料電池３などの排熱がシスターン２３の循環水を介して伝えられる。また、接続ラインＬ４１には、ガスバーナＧ２が配設され、シスターン２３の循環水を加熱できるようになっている。一方、三方弁Ｖ７がａポートとｃポートとを接続するように切り換えられると、シスターン２３の循環水がシスターン２３から第２熱交換器２２、循環ポンプＰ２、三方弁Ｖ７を通過してシスターン２３に戻る（図１０参照）。
【００２２】
それに対して、給湯ラインＬ３は、上流側が貯湯タンク２１の上部に接続し、下流側が三方弁（「第１切換弁」、「第３切換弁」に相当するもの）Ｖ１、ガスバーナ（「バーナ」に相当するもの）Ｇ１を介して蛇口用ラインＬ３１、洗濯機用ラインＬ３２、トイレ用ラインＬ３３、追焚ラインＬ３４、高温給湯端末用ラインＬ３５などに分岐し、台所等蛇口４、洗濯機５、トイレ６、浴槽７、高温給湯端末８等の給湯需要機器を貯湯タンク２１に対して並列に接続している。尚、「洗濯水供給ライン」は、貯湯タンク２１と洗濯機５とを接続する給湯ラインＬ３と洗濯機用ラインＬ３２とで構成される。
【００２３】
給湯ラインＬ３の三方弁Ｖ１は、ａポートが貯湯タンク２１に接続され、ｂポートが給湯需要機器に接続され、ｃポートが給水ラインＬ１から分岐した水道水供給ラインＬ１１に接続されている。従って、三方弁Ｖ１がａポートとｂポートとを接続させるように切り換えられると、貯湯タンク２１の給湯水のみを給湯需要機器に供給し（図１１参照）、ｂポートとｃポートとを接続させるように切り換えられると、水道水のみを給湯需要機器に供給し（図１２参照）、さらに、ａポートとｂポートとの両方をｃポートに接続させると、給湯水に水道水を混合させて所定温度に調整したものを給湯需要機器に供給することができる（図１３参照）。尚、給湯ラインＬ３には、貯湯タンク２１から供給される給湯水の温度を検出する給湯水温度センサＪ３が配設されている。
【００２４】
蛇口用ラインＬ３１は、ガスバーナＧ１の下流側で給湯ラインＬ３から分岐して台所等蛇口４に接続されている。
洗濯機用ラインＬ３２は、蛇口用ラインＬ３１の分岐位置及び開閉弁Ｖ２の下流側で給湯ラインＬ３から分岐して洗濯機５に接続されている。
トイレ用ラインＬ３３は、洗濯機用ラインＬ３２から分岐して開閉弁Ｖ３を介してトイレ６に接続されている。従って、開閉弁Ｖ３が開弁されているときには、給湯水などがトイレ６に供給され、閉弁されているときは、給湯水などがトイレ６に供給されない。
【００２５】
追焚ラインＬ３４は、フィルタＦと循環ポンプＰ１を介して洗濯機用ラインＬ３２の分岐位置より下流側に配設された三方弁（「第２切換弁」、「第４切換弁」に相当するもの）Ｖ４に接続され、更に第２熱交換器２２を介して再び浴槽７に接続されている。三方弁Ｖ４は、ａポートが第２熱交換器２２に接続され、ｂポートが循環ポンプＰ１に接続され、ｃポートが開閉弁Ｖ２に接続されている。このため、浴槽７は、追焚ラインＬ３４、三方弁Ｖ４、洗濯機用ラインＬ３２を介して洗濯機５と接続している。
さらに、高温給湯端末用ラインＬ３５は、追焚ラインＬ３４に配設された第２熱交換器２２の下流側から分岐し、開閉弁Ｖ５を介して食器洗浄乾燥機など高温給湯端末８に接続されている。
【００２６】
従って、開閉弁Ｖ５が閉弁され、且つ、三方弁Ｖ４がａポートとｂポートとを接続させるように切り換えられると、浴槽７の残湯がフィルタＦで濾過されてから、循環ポンプＰ１と第２熱交換器２２を通過して浴槽７に戻る（図１４参照）。このとき、第２熱交換器２２は、熱交換ラインＬ４を循環する循環水を介して燃料電池３などの排熱を伝えられているので、燃料電池３などの排熱を利用して浴槽７の残湯を加熱することができる（図１４、図１５参照）。
【００２７】
また、三方弁Ｖ４がｂポートとｃポートとを接続させるように切り換えられたときに、循環ポンプＰ１を駆動させるとともに開閉弁Ｖ２を閉弁させると、浴槽７の残湯がフィルタＦで濾過されてから、循環ポンプＰ１、三方弁Ｖ４を通過して洗濯機５やトイレ６に供給される（図１６参照）。開閉弁Ｖ２を閉弁させておくのは、水道水や給湯水が洗濯機５に供給されることや、浴槽７の残湯が台所等蛇口４に供給されることを防ぐためである。その一方で、三方弁Ｖ４がｂポートとｃポートとを接続させるように切り換えられたときに、循環ポンプＰ１を停止させて開閉弁Ｖ２を開弁させると、貯湯タンク２１の給湯水又は水道管９の水道水が洗濯機５やトイレ６に供給される（図１７参照）。
【００２８】
さらに、開閉弁Ｖ５が閉弁され、且つ、三方弁Ｖ４がａポートとｃポートとを接続させるように切り換えられると、貯湯タンク２１の給湯水又は水道管９の水道水が浴槽７に供給される（図１８参照）。このとき、第２熱交換器２２では、熱交換ラインＬ４を循環する循環水を介して燃料電池３などの排熱が伝達されるので、給湯水又は水道水を加熱してから浴槽７に供給することができる（図１８参照）。尚、開閉弁５を開弁させた状態で浴槽７の残湯や給湯水、水道水を第２熱交換器２２で加熱して追焚ライン３４に流せば、高温給湯端末８に燃料電池３などの排熱を利用することができる。
【００２９】
ここで、貯湯タンク２１には、貯湯槽温度センサ（「貯湯熱量算出装置」に相当するもの）Ｊ１が貯湯タンク２１の側面に等間隔に設けられ、貯湯タンク２１の貯湯熱量（或いは、貯湯タンク２１の給湯水の温度である貯湯槽温度）を検出している。貯湯槽温度センサＪ１は、貯湯タンク２１内の温水が温度成層を構成して貯湯する特性を利用して、各層の温度を検出することにより貯湯量を算出できるようになっている。
また、浴槽７には、浴槽７の残湯量を検出する風呂残湯量センサＫ２と浴槽７の残湯の温度を検出する風呂残湯温度センサＪ２とが設けられている。
【００３０】
図２は、操作リモコン３０の概略構成図である。
排熱利用システム２は、洗濯機５に供給する洗濯水や浴槽７に供給する給湯水の温度等を設定する操作リモコン３０（「温度設定装置」に相当するもの）を備えている。操作リモコン３０には、ＦＣ運転入・切スイッチ３１、学習機能入・切スイッチ３２、省エネモードスイッチ３３、水洗いスイッチ３４、湯洗いスイッチ３５、洗濯槽洗いスイッチ３６、温度調節スイッチ３７などの各種スイッチが設けられている。
【００３１】
ＦＣ運転入・切スイッチ３１は、燃料電池３などを運転するか否かを決定するためのスイッチである。
学習機能入・切スイッチ３２は、後述する『学習機能設定』を行うか否かを決定するためのスイッチである。
省エネモードスイッチ３３は、後述する『省エネモード』を利用するか否かを決定するためのスイッチである。
水洗いスイッチ３４は、洗濯水として水道水のみを使用するか否かを決定するためのスイッチである。
湯洗いスイッチ３５は、後述する『給湯モード』を利用するか否かを決定するためのスイッチである。
洗濯槽洗いスイッチ３６は、後述する『洗濯槽洗浄モード』を利用するか否かを決定するためのスイッチである。
温度調節スイッチ３７は、給湯水の温度などを設定するためのスイッチである。
【００３２】
また、操作リモコン３０には、運転モニタ画面３８、給湯温度設定表示画面３９が設けられている。運転モニタ画面３８は、電気、熱、水の流れを表示する画面である。
また、給湯温度設定表示画面３９は、浴槽７、洗濯機５、台所等蛇口４などに供給する給残湯温度を設定又は表示する画面であり、画面を切り換えることによって順次表示が変えられる。例えば、湯洗いスイッチ３５が入っているときには、洗濯水として利用する給湯水の温度が表示され、洗濯槽洗いスイッチ３６が入っているときには、洗濯機５に供給する給湯水の温度が表示される。
【００３３】
図３は、排熱利用システム２のブロック図である。
排熱利用システム２の制御装置４０は、貯湯槽温度センサＪ１、風呂残湯温度センサＪ２、風呂残湯量センサＫ２、給湯水温度センサＪ３が接続され、貯湯タンク２１の貯湯熱量（或いは、貯湯槽温度）や給湯水の量、浴槽７の残湯の温度や量などを知ることができる。また、制御装置４０は、操作リモコン３０を接続され、操作リモコン３０の各スイッチ３１〜３７（図２参照）を操作することにより機能の設定変更をしたり、操作リモコン３０の運転モニタ画面３８や給湯温度設定表示画面３９（図２参照）に排熱利用システム２の運転状況や各機能における給湯温度などを表示させたりすることができる。また、制御装置４０は、三方弁Ｖ１，Ｖ４，Ｖ７，Ｖ８や開閉弁Ｖ２，Ｖ３，Ｖ５が接続され、三方弁Ｖ１，Ｖ４，Ｖ７，Ｖ８の切換動作や開閉弁Ｖ２，Ｖ３，Ｖ５の開閉弁動作を制御することができる。また、制御装置４０は、循環ポンプＰ１〜Ｐ３が接続され、循環ポンプＰ１〜Ｐ３の駆動を制御することができる。さらに、制御装置４０は、ガスバーナＧ１，Ｇ２が接続され、ガスバーナＧ１，Ｇ２の着火動作を制御することができる。
【００３４】
こうした制御装置４０は、入出力インターフェース４１、中央処理装置（以下、「ＣＰＵ」という。）４２、記憶部４３、比較部４４、データベース作成部４５などを有している。入力インターフェース４１は情報の出入力を行う。ＣＰＵ４２は、入力した情報の演算処理などを行う。記憶部４３は、後述する『省エネモード』、『学習機能設定』、『給湯モード』、『洗濯槽洗浄モード』のプログラムや演算結果などを記憶している。比較部４４は入力した情報などを比較する。データベース作成部４５は、排熱利用システム２の運転状況などを経時的にデータベース化する。
【００３５】
次に、排熱利用システム２の運転手順について図面を参照して説明する。図４は、『省エネモード』のフローチャートである。
『省エネモード』は、操作リモコン３０の省エネモードスイッチ３３（図２参照）が入っているときに実行される機能であり、浴槽７の残湯を優先的に使用して節水効果を得るとともに、『学習機能設定』の下で燃料電池３などの排熱で加熱した給湯水を利用し、未回収熱を極小化するものである。
【００３６】
『省エネモード』では、先ずステップ１（以下、「Ｓ１」と略記する。）において、風呂残湯があるか否かを判断する。風呂残湯の有無は、浴槽７に設けた風呂残湯量センサＫ２によって浴槽７に湯水があるか否かで判断する。風呂残湯がある場合には（Ｓ１：ＹＥＳ）、Ｓ２に進んで、三方弁Ｖ４のｂポートをｃポートに接続することにより浴槽７を洗濯機５に接続させてから、Ｓ３において、循環ポンプＰ１を駆動させ、浴槽７の残湯を洗濯機５に供給する（図１６参照）。そして、Ｓ４において、洗濯給水を完了したか否かを判断する。すなわち、洗濯機５に所定量の洗濯水を供給したか否かを判断する。洗濯機５に所定量の洗濯水を供給した場合には（Ｓ４；ＹＥＳ）、循環ポンプＰ１を停止させて、洗濯機５への給水をやめる。一方、洗濯給水を完了していないと判断した場合には（Ｓ４：ＮＯ）、Ｓ１に戻り、洗濯水の給水を継続する。
【００３７】
風呂残湯がないと判断した場合には（Ｓ１：ＮＯ）、Ｓ５に進んで、『学習機能設定』か、風呂優先かを判断する。すなわち、操作リモコン３０の学習機能入・切スイッチ３２（図２参照）が入っている場合には、『学習機能設定』を行うと判断し、切られている場合には、『学習機能設定』を行わずに、風呂優先と判断する。
【００３８】
操作リモコン３０の学習機能入・切スイッチ３２（図２参照）が入っている場合には（Ｓ５：学習機能設定）、Ｓ６に進んで、『学習機能設定』を行う。ここで、『学習機能設定』は、例えば、過去に貯湯タンク２１から供給した給湯水の量を蓄積して経時的な給湯需要予測を立案したり、予約された入浴時間に基づいて経時的な給湯需要予測を立案して、どの時間帯に燃料電池３などに発電させるのが効果的かを予測しておき、給湯需要予測に対応するために必要な給湯水を、給湯需要があると予測される時間の直前までに貯湯タンク２１に貯湯しておく機能をいう。これは、貯湯タンク２１における放熱ロスを少なくして、エネルギー的な無駄を排除するためである。
【００３９】
具体的には、『学習機能設定』がなされると、例えば、制御装置４０のデータベース作成部４５は、１０日分の使用電力及び使用給湯量の平均値をデータベース化することにより使用電力や給湯需要の予測をし、それらの予測を充足するようにコージェネレーションの運転プログラムや貯湯タンク２１の貯湯プログラムを決定する（図２１、図２２参照）。すなわち、図２１の点線に示すように、電力はほぼ１日中消費されるが、特に、７時〜１０時及び１７時〜２３時の時間帯に多く消費されると予測する。また、図２２の棒グラフに示すように、貯湯熱量は、６時〜８時及び１８時〜２３時の時間帯に大きく、その時間帯に給湯需要があると予測する。特に、貯湯熱量は１９時にピークを示すので、入浴時間が１９時であると予測する。それから、放熱ロスや給湯需要予測以外の給湯需要などを考慮して、入浴時間である１９時までに貯湯タンク２１への貯湯を完了するようにコージェネレーションの運転プログラムを決定する。すなわち、図２１の実線に示すように、コージェネレーションを６時〜８時及び１５時〜１９時の時間帯に最大負荷運転させて発電し、その他の時間帯で運転を停止させるように運転プログラムを決定する。これにより、図２２の実線に示すように、貯湯タンク２１には、６時〜８時及び１５時〜１９時の時間帯に給湯水が貯湯される。
【００４０】
尚、『学習機能設定』として入浴時間の予約をした場合には、電力需要の大きい時間帯や熱需要を基準としてコージェネレーションを運転すると、コージェネレーションの発電効率が向上することなどを考慮して、予約された入浴時間までに貯湯タンク２１の貯湯を完了するようにコージェネレーションの運転プログラムを決定する。
【００４１】
そして、Ｓ７において、風呂予約時間までの排熱回収量から風呂・シャワー必要熱量を差し引いた値が、０より大きいか否かを判断する。すなわち、貯湯タンク２１の貯湯量が、浴槽７の湯はりやシャワーで使用される給湯水の量より多いか否か判断する。貯湯タンク２１の貯湯量が、浴槽７の湯はりやシャワーで使用される給湯水の量より多い場合には（Ｓ７：ＹＥＳ）、貯湯タンク２１の給湯水を洗濯機５に供給しても入浴時の給湯需要に対応できるので、Ｓ８に進んで、循環ポンプＰ１を停止させた状態で三方弁Ｖ４のｂポートをａポートに接続することにより浴槽７の残湯を洗濯機５に供給しないようにしてから、Ｓ９において、三方弁Ｖ１のａポートとｃポートの両方をｂポートに接続することにより貯湯タンク２１の給湯水に水道管９の水道水を混ぜて洗濯機５に給湯水を供給する（図１９参照）。それから、Ｓ４に進んで、洗濯機５への洗濯水の給水を完了したか否かを判断する。
【００４２】
一方、貯湯タンク２１の貯湯量が、浴槽７の湯はりやシャワーで使用される給湯水の量より多くない場合には（Ｓ７：ＮＯ）、貯湯タンク２１の給湯水を洗濯機５に供給すると入浴時の給湯需要に対応できないので、Ｓ１１に進んで、循環ポンプＰ１を停止させた状態で三方弁Ｖ４のｂポートをａポートに接続することにより浴槽７の残湯を洗濯機５に供給しないようにしてから、Ｓ１２において、三方弁Ｖ１のｃポートをｂポートに接続することにより水道管９の水道水を洗濯機５に供給する（図２０参照）。その後、Ｓ４に進んで、洗濯機５への洗濯水の給水を完了したか否か判断する。
【００４３】
また、操作リモコン３０の学習機能入・切スイッチ３２（図２参照）が入っていない場合には（Ｓ５：風呂優先）、Ｓ１０に進んで、風呂優先設定する。ここで、風呂優先とは、浴槽７の湯はりやシャワーなど風呂以外の給湯需要に対して貯湯タンク２１の給湯水を使用しないことをいう。そして、Ｓ１１において、循環ポンプＰ１を停止させた状態で三方弁Ｖ４のｂポートをａポートに接続することにより浴槽７の残湯を洗濯機５に供給しないようにしてから、Ｓ１２において、三方弁Ｖ１のｃポートをｂポートに接続することにより水道水供給ラインＬ１１を洗濯機５に接続し、水道管９の水道水を洗濯機５に供給する（図２０参照）。その後、Ｓ４に進み、洗濯機５に洗濯水の給水を完了したか否かを判断する。
【００４４】
図５は、『給湯モード』のフローチャートである。
『給湯モード』は、操作リモコン３０の湯洗いスイッチ３５（図２参照）が入っているときに実行される機能であり、操作リモコン３０で設定された設定温度で浴槽７の残湯又は貯湯タンク２１の給湯水を洗濯機５に供給するものである。
【００４５】
『給湯モード』では、先ずＳ２１において、操作リモコン３０の温度調節スイッチ３７（図２参照）を操作することにより初期設定（温度設定：Ｔ１）を行う。ここでは、衣類の付着した皮脂や汗が３５℃程度の給湯水で湯洗いすると落ちやすいことを考慮して、３５℃に設定するものとする。このとき、設定温度は、給湯温度設定表示画面３９に表示されるので、設定内容を容易に確認することができる。そして、Ｓ２２において、風呂残湯あるか否かを判断する。風呂残湯の有無は、風呂残湯量センサＫ２で検出される。浴槽７の残湯がある場合には（Ｓ２２：ＹＥＳ）、Ｓ２３において、風呂残湯温度が３５℃より高いか否かを判断する。風呂残湯温度が３５℃より高いと判断した場合には、浴槽７の残湯を洗濯機５にそのまま供給し（図１６参照）、Ｓ２４に進んで、洗濯給水を完了したか否かを判断する。すなわち、洗濯機５に所定量の洗濯水を供給したか否かを判断する。洗濯機５の所定量の洗濯水を供給した場合には（Ｓ２４；ＹＥＳ）、処理を終了して、洗濯機５への給水をやめる。一方、洗濯機５の所定量の洗濯水を供給していない場合には（Ｓ２４：ＮＯ）、Ｓ２２に戻る。
【００４６】
一方、風呂残湯温度が３５℃より高くない場合には（Ｓ２３：ＮＯ）、Ｓ２５に進んで、貯湯槽温度が３５＋β（℃）より高いか否かを判断する。設定温度の３５℃よりβ℃高い温度を基準とするのは、給湯水が熱交換ラインＬ４で放熱する温度を見込んでいるからである。貯湯槽温度が３５＋β（℃）より高い場合には（Ｓ２５：ＹＥＳ）、Ｓ２６に進んで、三方弁Ｖ７のｂポートをａポートに接続するとともに、循環ポンプＰ２を駆動させ、貯湯タンク２１で加熱したシスターン２３の循環水を熱交換ラインＬ４で循環させる（図１４参照）。そして、Ｓ２７において、三方弁Ｖ４のｂポートをａポートに接続するとともに、循環ポンプＰ１を駆動させ、浴槽７の残湯を追焚ラインＬ３４で循環させる（図１４参照）。このとき、第２熱交換器２２では、燃料電池３などの排熱を利用して浴槽７の残湯を加熱する。その後、Ｓ２３に戻って、浴槽７の残湯の温度を確認する。そして、浴槽７の残湯が３５℃以上になったら、浴槽７と洗濯機５とを接続するように三方弁Ｖ４を切り換えて浴槽７の残湯を洗濯機５に供給する（図１６参照）。
【００４７】
また、貯湯槽温度が３５℃＋βより高くない場合には（Ｓ２５：ＮＯ）、Ｓ２８に進んで、三方弁Ｖ７のｂポートをｃポートに接続するとともに、循環ポンプＰ２を駆動させることにより、シスターン２３の循環水を熱交換ラインＬ４で循環させてから、Ｓ２９において、ガスバーナＧ２に着火して、シスターン２３の循環水を加熱する（図１５参照）。その後、Ｓ２７に戻って、浴槽７の残湯を追焚ラインＬ３４で循環させ、さらに、Ｓ２３に戻って、浴槽７の残湯の温度を確認する。そして、浴槽７の残湯が３５℃以上になったら、浴槽７と洗濯機５とを接続するように三方弁Ｖ４を切り換えて浴槽７の残湯を洗濯機５に供給する（図１６参照）。
【００４８】
それに対して、浴槽７の残湯がない場合には（Ｓ２２：ＮＯ）、Ｓ３０に進んで、循環ポンプＰ１，Ｐ２を停止させた状態で三方弁Ｖ４のｂポートをａポートに接続することにより、浴槽７の残湯を洗濯機５に供給しないようにする（図１９参照）。そして、Ｓ３１において、貯湯槽温度が３５℃より高いが否か、すなわち、貯湯タンク２１から供給される給湯水の給湯温度が３５℃より高いか否かを判断する。給湯温度が３５℃より高い場合には（Ｓ３１：ＹＥＳ）、三方弁Ｖ１のａポートとｃポートとをｂポートに接続することにより、貯湯タンク２１の湯水に水道管９の水道水を混ぜて３５℃に温度調節し、洗濯機５に供給する（図１９参照）。その後、Ｓ２４に戻って、洗濯機５に所定量の洗濯水を供給したか否かを判断する。
一方、給湯温度が３５℃より高くない場合には（Ｓ３１：ＮＯ）、Ｓ３３に進んで、三方弁Ｖ１のａポートとｃポートをｂポートに接続することにより貯湯タンク２１と水道水供給ラインＬ１１とを洗濯機５に接続し（図１９参照）、Ｓ３４において、ガスバーナＧ１を着火する。これにより、給湯水と水道水を３５℃に加熱して洗濯機５に供給することができる。その後、Ｓ２４に戻って、洗濯機５に所定量の洗濯水を供給したか否かを判断する。
【００４９】
図６は、『洗濯槽洗浄モード』のフローチャートである。
『洗濯槽洗浄モード』は、操作リモコン３０の洗濯槽洗いスイッチ３６（図２参照）が入っているときに実行される機能であり、洗濯槽の裏側などに繁殖したカビなどを死滅させるために、高温の給湯水で洗濯槽をつけおき洗浄するものである。
【００５０】
『洗濯槽洗浄モード』では、先ずＳ４１において、操作リモコン３０の温度調節スイッチ３７（図２参照）などを操作することにより初期設定（温度設定：Ｔ２、注水量：Ｍ）を行う。ここでは、洗濯槽を４０℃程度の給湯水に１５分程度つけおきしておくと雑菌などが死滅することが知られていることから、つけおきする間に湯冷めすることを考慮して、温度設定を４５℃とするとともに、注水量を１００Ｌとする。そして、Ｓ４２において、三方弁Ｖ４のｂポートをａポートに接続することにより、浴槽７の残湯が洗濯機５に供給されないようにする。そして、Ｓ４３において、貯湯槽温度が４５℃より高いか否か、すなわち、貯湯タンク２１から供給される給湯水の給湯温度が４５℃より高いか否かを判断する。給湯温度が４５℃より高い場合には（Ｓ４３：ＹＥＳ）、Ｓ４４に進んで、三方弁Ｖ１のａポートとｃポートとをｂポートに接続することにより貯湯タンク２１の給湯水に水道管９の水道水を混ぜて４５℃に温度調節し、洗濯機５に供給する（図１９参照）。そして、Ｓ４５において、洗濯給水を完了したか否かを判断する。すなわち、洗濯機５に洗濯水を１００Ｌ供給したか否かを判断する。洗濯機５に洗濯水を１００Ｌ供給した場合には（Ｓ４５：ＹＥＳ）、処理を終了して、洗濯機５への給水をやめる。一方、洗濯機５に洗濯水を１００Ｌ供給していないと判断した場合には（Ｓ４５：ＮＯ）、Ｓ４３に戻る。
【００５１】
それに対して、給湯温度が４５℃より高くない場合には（Ｓ４３：ＮＯ）、Ｓ４６に進んで、三方弁Ｖ１のａポートとｃポートとをｂポートに接続し、Ｓ４７において、ガスバーナＧ１に着火する。これにより、貯湯タンク２１の給湯水と水道管９の水道水が４５℃に加熱され、洗濯機５に供給される（図１９参照）。その後、Ｓ４５に戻って、洗濯機５に洗濯水を１００Ｌ供給したか否かを判断する。
【００５２】
従って、本実施の形態の排熱利用システム２及びその制御装置４０では、貯湯タンク２１に６０〜８０℃程度の高温給湯水を貯めているときは、給湯ラインＬ３と水道水供給ラインＬ１１とを接続するよう三方弁Ｖ１を切り換えて、貯湯タンク２１の給湯水を水道水と混合させて温度調節してから洗濯機５に供給し（図４のＳ５〜Ｓ９、図５のＳ３０〜Ｓ３４、図６のＳ４１〜Ｓ４５、図１１参照）、従来貯湯タンク２１に回収しきれずに捨てていた燃料電池３などの排熱を貯湯タンク２１に回収するので、廃熱となる未回収熱を少なくして、コージェネレーションの経済性・省エネ性を向上させることができる。
【００５３】
このとき、三方弁Ｖ１は、貯湯タンク２１の給湯水と水道水とを混合させるだけでなく、水道水供給ラインＬ１１と洗濯機５とを接続するようにライン切り換えることも可能なので（図２０参照）、『省エネモード』、『学習機能設定』、『給湯モード』、『洗浄モード』など使用用途に応じて水道水と給湯水とを使い分けることができる。
【００５４】
また、熱交換ラインＬ４で循環ポンプＰ２を駆動させて循環水を循環させながら、追焚ラインＬ３４と洗濯機５とを接続しないように三方弁Ｖ４を切り換えた状態で循環ポンプＰ１を駆動させて浴槽の残湯を追い焚きラインＬ３４で循環させることにより、浴槽７の残湯を第２熱交換器２２で追い焚きし（図５のＳ２５〜Ｓ２９、図１４、図１５参照）、また、浴槽７と洗濯機５とを接続するように三方弁Ｖ４を切り換えた状態で循環ポンプＰ１を駆動させることにより、浴槽７の残湯を洗濯水として洗濯機５に供給するので（図４のＳ１〜Ｓ４、図５のＳ２３、Ｓ２４、図１６参照）、未回収熱を減らしてコージェネレーションの経済性・省エネ性を向上させることができることに加え、浴槽７の残湯を洗濯水に利用するので節水効果を得ることができる。
【００５５】
このとき、制御装置４０では、貯湯タンク２１に回収した貯湯熱量を検出して貯湯タンク２１の貯湯熱量を算出し、その算出した貯湯熱量を過去に算出した貯湯熱量に蓄積して経時的な給湯需要予測を立案したり、或いは、予約された給湯需要に基づいて経時的な給湯需要予測を立案しており、立案された給湯需要予測に対して貯湯タンク２１の貯湯槽温度に基づいて算出した貯湯熱量を比較することにより三方弁Ｖ１の切換動作を制御すれば（図４のＳ５〜９、Ｓ１１，１２）、貯湯タンク２１に給湯需要予測に対応しうる給湯水を貯湯しているか否かをもって、貯湯タンク２１から給湯水を供給するか否かを決定するようになるので、従来廃棄している未回収熱を洗濯機５などに活用することにより未回収熱を極小化することができる。
【００５６】
また、給湯水温度センサＪ３で検出した給湯温度を操作リモコン３０（図２参照）で設定された設定温度（例えば、『湯洗いモード』では３５℃、『洗濯槽洗浄モード』では４５℃）と比較して、ガスバーナＧ１の着火動作を制御すれば（図５のＳ３１〜Ｓ３４、図６のＳ４３〜Ｓ４５参照）、ガスバーナＧ１が三方弁Ｖ１の下流側に配設されていることから、給湯温度が設定温度（例えば、『湯洗いモード』では３５℃、『洗濯槽洗浄モード』では４５℃）より低いときに貯湯タンク２１の給湯水又は水道水供給ラインＬ１１の水道水を加熱して洗濯機５に供給することができる。
【００５７】
更に、トイレ６の洗浄水などに浴槽７の残湯や貯湯タンク２１の給湯水などを使用することができるので（図１１、図１３、図１６参照）、さらなる節水効果を得て、コージェネレーションの経済性・省エネ性を一層増大させることができる。
【００５８】
尚、本発明は上記実施の形態に限定されるものでなく、その趣旨を逸脱しない範囲で様々な変更が可能である。
【００５９】
例えば、上記実施の形態では、『給湯モード』や『洗濯槽洗浄モード』の温度設定を利用者が任意に初期設定するようにしている。それに対して、予め制御装置４０の記憶部４３に初期設定温度を記憶させておいて、利用者が操作リモコン３０の湯洗いスイッチ３５又は洗濯槽洗いスイッチ３６を入れたときに、記憶部４３に記憶した温度を自動的に設定し、利用者は、自動的に設定された設定温度を操作リモコン３０の温度調節スイッチ３７（図２参照）で任意に変更するようにしてもよい。
【００６０】
また、例えば、上記実施の形態では、１戸の家庭に設置されるコージェネレーションの排熱を利用して、当該家庭の洗濯機５やトイレ６などに所定温度に加熱された浴槽７の残湯や貯湯タンク２１の給湯水を供給している。それに対して、例えば、マンションなどに設置されて複数の家庭に電力を供給するコージェネレーションシステムの排熱を利用して、各家庭における浴槽７の残湯などを加熱し、その残湯を洗濯機５やトイレ６などに供給するようにしてもよい。
【００６１】
【発明の効果】
以上説明したように、本発明のコージェネレーションの排熱利用システムによれば、給水ラインから貯湯タンクに供給された水道水が循環ポンプで第１熱交換器を通過した後に貯湯タンクに再び戻ることにより小型のコージェネレーション源の排熱を回収する排熱回収ラインと、貯湯タンクに貯えられた給湯水を洗濯機に供給する洗濯水供給ラインと、洗濯水供給ラインと給水ラインとを接続する水道水供給ラインと、洗濯水供給ラインと水道水供給ラインとの接続部分に配設されて、ラインの切り換えを行う第１切換弁とを有しており、廃熱となる未回収熱を少なくして、コージェネレーションの経済性・省エネ性を向上させることができる。
【図面の簡単な説明】
【図１】本発明の実施の形態において、コージェネレーションの排熱利用システムを含む水力スケード利用システムのシステムフロー図である。
【図２】同じく、操作リモコンの概略構成図である。
【図３】同じく、排熱利用システムのブロック図である。
【図４】同じく、省エネモードのフローチャートである。
【図５】同じく、給湯モードのフローチャートである。
【図６】同じく、洗濯槽洗浄モードのフローチャートである。
【図７】同じく、水カスケード利用システムのフロー図であって、排熱回収運転のときのものである。
【図８】同じく、水カスケード利用システムのフロー図であって、排熱回収運転のときのものである。
【図９】同じく、水カスケード利用システムのフロー図であって、高温給湯運転のときのものである。
【図１０】同じく、水カスケード利用システムのフロー図であって、高温給湯運転のときのものである。
【図１１】同じく、水カスケード利用システムのフロー図であって、低温給湯運転で給湯需要機器に給湯水のみを供給するときのものである。
【図１２】同じく、水カスケード利用システムのフロー図であって、低温給湯運転で給湯需要機器に水道水のみを供給するときのものである。
【図１３】同じく、水カスケード利用システムのフロー図であって、低温給湯運転で給湯需要機器に給湯水と水道水とを混合させて供給するときのものである。
【図１４】同じく、水カスケード利用システムのフロー図であって、貯湯タンクで加熱された循環水を介して追い焚きするときのものである。
【図１５】同じく、水カスケード利用システムのフロー図であって、バーナで加熱された循環水を介して追い焚きするときのものである。
【図１６】同じく、水カスケード利用システムのフロー図であって、湯水を洗濯機に供給するときのものである。
【図１７】同じく、水カスケード利用システムのフロー図であって、給湯水を洗濯機に供給するときのものである。
【図１８】同じく、水カスケード利用システムのフロー図であって、浴槽に湯はりするときのものである。
【図１９】同じく、水カスケード利用システムのフロー図であって、給湯水を洗濯機に供給するときのものである。
【図２０】同じく、水カスケード利用システムのフロー図であって、水道水を洗濯機に供給するときのものである。
【図２１】同じく、電力と時間との関係を示す図である。
【図２２】同じく、貯湯熱量と時間との関係を示す図である。
【図２３】１日の各時間における家庭での使用電力量と家庭用コージェネレーションシステムが発電する電力量とを概念的に示した図である。
【図２４】図２３の家庭用コージェネレーションシステムの発電に伴って発生し、貯湯タンクに貯められる貯湯熱量の経時変化を概念的に示した図である。
【図２５】朝の時間帯に貯湯タンクの温水を浴槽の湯はりに活用した場合において、貯湯タンクに貯められる貯湯熱量の経時変化を概念的に示した図である。
【符号の説明】
２　コージェネレーションの排熱利用システム
３　燃料電池
５　洗濯機
６　トイレ
１１　第１熱交換器
２１　貯湯タンク
２２　第２熱交換器
２３　シスターン
３０　操作リモコン
４０　制御装置
Ｇ１　バーナ
Ｌ１　給水ライン
Ｌ２　排熱回収ライン
Ｌ３　給湯ライン
Ｌ４　熱交換ライン
Ｌ１１　水道水供給ライン
Ｌ３２　洗濯機用ライン
Ｌ３３　トイレ用ライン
Ｌ３４　追焚ライン
Ｐ１　循環ポンプ
Ｐ２　循環ポンプ
Ｐ３　循環ポンプ
Ｊ１　貯湯槽温度センサ
Ｖ１　三方弁
Ｖ４　三方弁
【図１】
2004108608.tif 000003
【図２】
2004108608.tif 000004
【図３】
2004108608.tif 000005
【図４】
2004108608.tif 000006
【図５】
2004108608.tif 000007
【図６】
2004108608.tif 000008
【図７】
2004108608.tif 000009
【図８】
2004108608.tif 000010
【図９】
2004108608.tif 000011
【図１０】
2004108608.tif 000012
【図１１】
2004108608.tif 000013
【図１２】
2004108608.tif 000014
【図１３】
2004108608.tif 000015
【図１４】
2004108608.tif 000016
【図１５】
2004108608.tif 000017
【図１６】
2004108608.tif 000018
【図１７】
2004108608.tif 000019
【図１８】
2004108608.tif 000020
【図１９】
2004108608.tif 000021
【図２０】
2004108608.tif 000022
【図２１】
2004108608.tif 000023
【図２２】
2004108608.tif 000024
【図２３】
2004108608.tif 000025
【図２４】
2004108608.tif 000026
【図２５】
2004108608.tif 000027